(57)【要約】【課題】  本発明は、下層フィルムの裏面に感熱性接着剤を設けた収納ラベルについて、上下層フィルムの周縁部を熱接着する際に、下層フィルムの感熱性接着剤が加熱装置に付着することを防止できる収納ラベルを提供することを課題とする。【解決手段】  重ね合わせた上下２層のフィルム２，３の周縁部の全部又は一部を熱接着することにより、周縁接着部４が形成された本体６と、本体６を被貼付体に貼着するために下層フィルム３の裏面に設けられた貼着層７と、本体６の収納部５内に収納された収納物１０と、を備え、貼着層７が、感熱性接着剤で構成されていると共に、該貼着層７が、周縁接着部４に対応する領域を除く下層フィルム３の裏面に設けられている収納ラベル１。【選択図】  図３
2008197262.tif 000002
【特許請求の範囲】
【請求項１】
重ね合わせた上下２層のフィルムの周縁部の全部又は一部を熱接着することにより、周縁接着部が形成された本体と、前記本体を被貼付体に貼着するために下層フィルムの裏面に設けられた貼着層と、前記本体の収納部内に収納された収納物と、を備え、
前記貼着層が、感熱性接着剤で構成されていると共に、該貼着層が、周縁接着部に対応する領域を除く下層フィルムの裏面に設けられていることを特徴とする収納ラベル。
【請求項２】
前記貼着層が、収納された収納物の裏面に対応する領域に設けられている請求項１に記載の収納ラベル。
【発明の詳細な説明】
【技術分野】
【０００１】
本発明は、縁部が接着された２枚のフィルムの間に説明書などを収納し、感熱性接着剤を介して被貼付体に貼付できる収納ラベルに関する。
【背景技術】
【０００２】
従来、懸賞応募ハガキ、薬品能書、取扱説明書、商品説明書、懸賞応募説明書などの各種説明書、保証書などの各種証明書類、小冊子、各種カード類、付録などの扁平状の収納物を商品に添付するため、該収納物を収納した状態で商品に貼着できる袋状の収納ラベルが知られている。
かかる収納ラベルとして、商品に粘着させる粘着層が一方面に形成されたシート状の基材（上層フィルム）と、該基材の他方面に重ね合わされたフィルム（下層フィルム）とで構成され、基材及びフィルムは、添付物を介在させた状態で周縁部を接着され、両者の間に収納空間が形成されている袋状ラベルが知られている（特許文献１）。
上記袋状ラベルに於いて、その粘着層は、基材を粘着テープの代用品として用いるため、再貼付可能なアクリル系粘着剤（いわゆる感圧型粘着剤）が用いられている。また、基材及びフィルムの周縁部は、フィルムに熱溶着性のコーティング層を設けることにより、熱溶着によって接着されている。
【０００３】
上記従来の収納ラベル（袋状ラベル）は、粘着テープで用いられている粘着剤と同様の粘着剤が基材に設けられているため、商品に貼着する前、該収納ラベルは、離型紙に仮貼付した状態で提供される。
しかしながら、離型紙は、袋状ラベルを貼着した後、廃棄されるため、ゴミが増える。さらに、上記収納ラベルは、離型紙を備える分、製品のコストが上昇するという問題点がある。
【特許文献１】特開２００５−１７３３００号公報
【発明の開示】
【発明が解決しようとする課題】
【０００４】
本発明者らは、上記の問題点に鑑みて、収納ラベルについて種々な検討をしたところ、被貼付体に貼着するために下層フィルムの裏面に設けられる粘着層として、感圧型粘着剤に代えて、感熱性接着剤を用いることを考えた。感熱性接着剤は、室温で接着性を示さないので、離型紙上に仮貼付する必要がなく、上記問題点を解消できる。
しかしながら、感熱性接着剤は、加熱によって接着性を示すため、上層フィルムの周縁部と下層フィルムの周縁部を熱接着する際の熱によって、下層フィルムの裏面に設けた感熱性接着剤が接着状態となる。このため、上下層フィルムの周縁部の熱接着時に、下層フィルムの裏面に設けられた感熱性接着剤が、加熱装置の部材（例えば、熱コテに対向配置された台座等）に付着するという新たな問題を生じる。
【０００５】
そこで、本発明は、被貼付体に貼着するため、下層フィルムの裏面に感熱性接着剤を設けた収納ラベルについて、上下層フィルムの周縁部を熱接着する際に、感熱性接着剤が加熱装置に付着することを防止できる収納ラベルを提供することを課題とする。
【課題を解決するための手段】
【０００６】
本発明は、重ね合わせた上下２層のフィルムの周縁部の全部又は一部を熱接着することにより、周縁接着部が形成された本体と、本体を被貼付体に貼着するために下層フィルムの裏面に設けられた貼着層と、本体の収納部内に収納された収納物と、を備え、貼着層が、感熱性接着剤で構成されていると共に、該貼着層が、周縁接着部に対応する領域を除く下層フィルムの裏面に設けられている収納ラベルを提供する。
【０００７】
上記収納ラベルは、貼着層が、周縁接着部に対応する領域を除く下層フィルムの裏面に設けられているので、上下層フィルムの周縁部を熱接着すべく、上層フィルムの表面側から加熱した際、その熱が、貼着層を構成する感熱性接着剤に伝わり難い。
従って、上下層フィルムの周縁部を熱接着する際、下層フィルムの裏面に設けられた貼着層が、加熱装置の部材などに付着することを防止できる。
かかる収納ラベルは、使用に際して、貼着層を加熱することによって感熱性接着剤を接着状態とした後、商品などの被貼付体に載せ、上層フィルムの表面側から押さえつけることにより、被貼付体に貼着することができる。
【０００８】
また、本発明の好ましい収納ラベルは、上記貼着層が、収納物の裏面に対応する領域に設けられている。
上記収納ラベルは、貼着層が収納物の裏面に対応する領域に設けられているので、収納ラベルの貼着時、上層フィルムの表面側から被貼付体側へと押さえつけた際の押圧力が、貼着層の全体に作用する。
従って、貼着層の縁部に於いて不十分な接着を生じず、該貼着層を介して、収納ラベルを確実に被貼付体に貼着できる。
【発明の効果】
【０００９】
本発明に係る収納ラベルは、離型紙を具備しないので、比較的安価に提供でき、且つ、省ゴミ化を図ることができる。さらに、本発明の収納ラベルは、製造時に於いて、下層フィルムの裏面に設けられた感熱性接着剤が加熱装置の部材などに付着し難い。従って、該収納ラベルは、容易に製造することができる。
また、本発明の好ましい収納ラベルは、貼着層の縁部が被貼付体に対して非接着となることを防止でき、被貼付体に安定的に貼着することができる。
【発明を実施するための最良の形態】
【００１０】
以下、本発明について、図面を参照しつつ具体的に説明する。
＜収納ラベルの一実施形態＞
図１〜図３に於いて、１は、上下２層のフィルム２，３の周縁部を接着することにより、周縁接着部４が形成され、且つ、該周縁接着部４の内側であって上下層フィルム２，３の層間に収納部５が形成されている本体６と、この本体６の裏面に設けられた貼着層７と、本体６の収納部５内に収納された収納物１０と、を備える収納ラベルを示す。
上下層フィルム２，３の周縁部は、接着層８を介して接着されている。また、下層フィルム３の裏面の中央領域（周縁接着部４に対応する領域を除いた領域）には、感熱性接着剤から構成された貼着層７が設けられている。
なお、５ａは、上下層フィルム２，３を切断して収納部５を開封する際の開封基点となる切り目を示す。
なお、本明細書に於いて、フィルムとは、一般にシートと呼ばれているものを含む意味である。
【００１１】
上層フィルム２は、特に限定されず、例えば、合成樹脂製フィルム、紙、合成紙、合成樹脂製フィルムと紙の積層体などの積層フィルムなどの公知のフィルムを使用することができる。上層フィルム２は、耐熱性に優れ且つ剛性も有することから、ポリエチレンテレフタレートフィルムなどのポリエステル系、ポリアミド系、ポリプロピレンなどのポリオレフィン系などの合成樹脂製フィルムを用いることが好ましく、特に、これらの二軸延伸フィルムを用いることがより好ましい。
また、上層フィルム２は、収納部５に収納された収納物１０を透視できるようにするため、透明又は半透明のフィルムを用いることが好ましい。
上層フィルム２は、通常、厚み１０〜１００μｍ程度のものが用いられる。
【００１２】
この上層フィルム２の裏面全体に、接着層８が積層されている。
接着層８は、室温で接着性を示さず、且つ加熱することによって下層フィルム３の表面に接着可能なものであれば特に限定されない。例えば、接着層８は、感熱性接着剤、シーラントフィルムなどを用いることができる。
この感熱性接着剤は、室温では接着性を示さず且つ加熱されることによって活性化して接着性を発現しうる接着剤である。感熱性接着剤の種類としては、例えば、ディレードタック型感熱接着剤、固体可塑剤を含まないエマルジョン型感熱接着剤（以下、単に「エマルジョン型感熱接着剤」と記す）、溶剤型感熱接着剤、ホットメルト型接着剤などが挙げられる。
【００１３】
ディレードタック型感熱接着剤は、室温で接着性を示さず、加熱することによって活性化して接着性を示し且つ冷却後長時間に亘ってそれが持続するものであり、グラビアコーティングなどの印刷によって塗工可能な接着剤である。ディレードタック型感熱接着剤としては、例えば、エチレン−酢酸ビニル共重合体、酢酸ビニル−アクリル酸エステル共重合体、合成ゴムなどのベース樹脂に粘着付与剤及び固体可塑剤が配合されたエマルジョン型のものなどが例示される。
エマルジョン型感熱接着剤及び溶剤型感熱接着剤は、室温で接着性を示さず、加熱によって接着性を示し、例えば、エチレン−酢酸ビニル共重合体などの熱接着性樹脂と粘着付与剤などを水又は有機溶剤などに溶解又は分散させた溶液を、グラビアコーティングなどの印刷によって塗工可能な接着剤であり、塗工後乾燥して使用するものである。
ホットメルト型接着剤は、常温で接着性を示さず、加熱することによって接着可能となるものであり、加熱溶融することによって塗工可能な接着剤である。ホットメルト型接着剤としては、例えば、エチレン−酢酸ビニル共重合体やエチレンアクリル酸共重合体などのエチレン系樹脂、スチレン−ブタジエンブロック共重合体などのベース樹脂に粘着付与剤などの添加剤が配合されたものが例示される。
接着層８の厚みは、特に限定されず、通常、３μｍ〜３０μｍ程度である。
【００１４】
また、シーラントフィルムは、加熱することにより溶融して接着するフィルム（所謂、熱溶融性フィルム）であり、代表的には、低密度ポリエチレンなどのポリオレフィン系フィルムが挙げられる。
上層フィルム２の裏面に設けられる接着層８として、シーラントフィルムを用いる場合には、下層フィルム３の表面に同種のシーラントフィルムが積層される。
【００１５】
一方、下層フィルム３は、特に限定されず、例えば、合成樹脂製フィルム、紙、合成紙、合成樹脂製フィルムと紙の積層体などの積層フィルムなどの公知のフィルムを使用することができる。下層フィルム３は、耐熱性などに優れることから、ポリエチレンテレフタレートフィルムなどのポリエステル系、ポリアミド系、ポリプロピレンなどのポリオレフィン系などの合成樹脂製フィルムを用いることが好ましく、特に、この二軸延伸フィルムを用いることがより好ましい。また、下層フィルム３は、断熱性を有する層（例えば、発泡樹脂フィルムや不織布など）を有しているものでもよい。
下層フィルム３は、通常、厚み３０〜３００μｍ程度のものが用いられる。
なお、下層フィルム３と上層フィルム２は、同一又は同種のものでも良いし、又は異なる材質でもよい。
【００１６】
この下層フィルム３の裏面のうち、図２及び図３に示すように、周縁接着部４に対応する領域を除き、感熱性接着剤を塗工することにより、貼着層７が下層フィルム３に積層されている。
具体的には、該貼着層７の外縁７ａが、周縁接着部４の内縁４ａよりも内側に位置するように、貼着層７が、下層フィルム３の裏面に設けられている。
好ましくは、図４に示す変形例のように、貼着層７の外縁７ａが、収納された収納物１０の外縁１０ａよりも内側に位置するように、貼着層７が下層フィルム３の裏面に設けられる。このように、貼着層７が、収納物１０の裏面に対応する領域内に設けられていることにより、上層フィルム２の表面側を押しつけた際の押圧力が、貼着層７の全体に亘って作用する。
【００１７】
貼着層７の外縁７ａと周縁接着部４の内縁４ａの間の間隔Ｗは、収納ラベル１の大きさによって適宜設計されるが、例えば、縦×横が５０ｍｍ〜８０ｍｍ×７０〜１００ｍｍの収納ラベル１の場合、上記間隔Ｗは、２ｍｍ〜１０ｍｍ程度が好ましい。間隔Ｗが余りに小さいと、周縁接着部４を形成する際の熱によって、貼着層７の外縁部が接着性を生じる虞があり、一方、間隔Ｗが余りに長いと、相対的に貼着層７の形成面積が狭くなり、該貼着層７を介して収納ラベル１を被貼付体に貼着した際、収納ラベル１が不用意に剥がれる虞があるからである。
【００１８】
貼着層７を構成する感熱性接着剤は、室温では接着性を示さず且つ加熱されることによって活性化して接着性を発現しうる接着剤である。
該感熱性接着剤の種類としては、上記接着層８の感熱性接着剤と同様に、例えば、ディレードタック型感熱接着剤、エマルジョン型感熱接着剤、溶剤型感熱接着剤、ホットメルト型接着剤などが挙げられる。
貼着層７を構成する感熱性接着剤は、接着層８を構成する感熱性接着剤と同じものでもよいが、貼着層７を構成する感熱性接着剤は、その活性化温度が、接着層８を構成する感熱性接着剤の活性化温度よりも低いものが好ましい。具体的には、貼着層７を構成する感熱性接着剤の活性化温度が、接着層８を構成する感熱性接着剤の活性化温度よりも１０℃以上低いものが好ましい
ここで、活性化温度とは、０．１Ｎ／１５ｍｍ以上の接着強度を発現し始める温度をいう。該活性化温度の測定方法は、下記ａ）〜ｄ）の通りである。
ａ）厚み１２μｍのポリエチレンテレフタレート製二軸延伸フィルム（東レ社製、製品名：Ｓ−１２）を２枚準備し、一方のフィルムの裏面に、厚み２０μｍの感熱性接着剤を塗工する。
ｂ）感熱性接着剤を、任意の温度に加熱する。
ｃ）感熱性接着剤を加熱後、一方のフィルムを、他方のフィルムの表面に重ね合わせ、両フィルムを圧力０．１ＭＰａで１秒間押圧する。
ｄ）押圧後、ＪＩＳ  Ｋ  ６８５４−３に準じた測定方法により、剥離速度３００ｍｍ／分でＴ型剥離試験を行う。その結果、接着強度が、０．１Ｎ／１５ｍｍ以上となった時に於ける、上記ｂ）の加熱温度を「活性化温度」とする。
【００１９】
貼着層７の感熱性接着剤の具体的な活性化温度としては、６０℃〜１１０℃程度のものが好ましい。
【００２０】
重ね合わされた上下２層のフィルム２，３は、その周縁部略全体に亘って所定幅接着されることにより、周縁接着部４が形成されている。収納部５は、この周縁接着部４で囲われる領域の内側に形成されている。但し、形成される収納部５内の空気を逃がすため、上下層フィルム２，３の周縁部の一部に、エアー抜き用の小さな通路４ａ（非接着部分）が確保されている。
【００２１】
尚、収納物１０としては、懸賞応募ハガキ、薬品能書、取扱説明書、商品説明書、懸賞応募説明書などの各種説明書、保証書などの各種証明書類、小冊子、各種カード類、コイン状物品、付録などの扁平状の収納物が挙げられる。また、収納物１０は、このような扁平状のものに限られず、ある程度嵩高いものでもよい。
収納ラベル１の収納部５の形状は、収納物１０の周縁よりも大きく形成され、収納物１０の形状などに応じて適宜設定される。
【００２２】
上記収納ラベル１は、例えば、次の方法にて製造できる。
図５に示すように、裏面に貼着層７（感熱性接着剤）が所定位置に塗工された下層フィルムが連続的に繋がった下層フィルム原反９３と、裏面に接着層８（感熱性接着剤）がベタ状に塗工された上層フィルムが連続的に繋がった上層フィルム原反９２と、を準備する。
下層フィルム原反９３を長手方向に送りながら、設けられた貼着層７に対応する下層フィルム原反９３の表面側に、収納物１０を載置していく。収納物１０を載置した後、その上から上層フィルム原反９２を長手方向に送りながら、上層フィルム原反９２の裏面側を重ね合わせていく。
【００２３】
収納物１０を介装した上下層フィルム原反９２，９３は、袋成形ゾーンへと送られる。
袋成形ゾーンには、収納物の周縁よりも少し大きい平面視環状の熱コテ９４と、上下層フィルム原反９２，９３を挟んでこの熱コテ９４に対向配置された台座９５と、が設けられている。熱コテ９４は、台座９５に対して出退自在であり、台座９５は固定されている。また、熱コテ９４は、接着層８を構成する感熱性接着剤の活性化温度以上に加熱されている。なお、９６は、送りローラを示す。
【００２４】
順次送られてくる上下層フィルム原反９２，９３の上層フィルム原反９２の表面側から、環状の熱コテ９４の内側に収納物１０を囲繞するように、熱コテ９４を押し当てることにより、上下層フィルム原反９２，９３の周縁部が接着され、収納部５が形成されていく。
得られた長尺体を、カッター９１にて切断することにより、個々の収納ラベル１を作製することができる。
【００２５】
上記収納ラベル１は、周縁接着部４に対応する領域を除く下層フィルム３の裏面に貼着層７が設けられているので、上下層フィルム２，３の周縁部を熱接着すべく、上層フィルム２の表面側から加熱した際、その熱が、貼着層７を構成する感熱性接着剤に伝わり難い。
従って、周縁接着部４を熱接着形成する際、下層フィルム３の裏面に設けられた感熱性接着剤（貼着層７）が、加熱装置の台座９５などに付着することを防止できる。
このため、台座９５などを含め、製造装置のメンテナンス（感熱性接着剤の拭き取り等）が簡素となり、収納ラベル１を容易に製造できる。
【００２６】
また、上記収納ラベル１は、貼着層７が感熱性接着剤からなるので、室温で接着性を示さず、従って、使用に際して、離型紙に仮貼付しないで供給することができる。
よって、該収納ラベル１は、離型紙に要するコストやゴミを削減することができる。
【００２７】
上記収納ラベル１は、下層フィルム３の裏面側から貼着層７を加熱することにより、感熱性接着剤が活性化して接着性を生じる。かかる貼着層７を介して、商品などの被貼付体の適宜な位置に収納ラベル１を貼着できる。
貼着層７の加熱方式は、特に限定されず、例えば、電熱ヒータ、熱風などを貼着層７に曝す方式などが例示される。貼着層７の加熱温度は、感熱性接着剤が活性化しうる温度以上である。
【００２８】
上記収納ラベル１は、被貼付体に貼着するに際して、上層フィルム２の表面側から加圧装置によって押しつけられる。加圧装置は特に限定されず、円筒状のロータ、平坦状の面を有する加圧台などが挙げられる。
ところで、収納ラベル１は、収納物１０の収納された領域が他の領域に比して厚肉となっている。このため、上層フィルム２の表面側から加圧装置にて押しつけた際、収納物１０が介在する下層フィルム３の裏面側に、その押圧力が強く作用する。
本発明の収納ラベル１の貼着層７は、周縁接着部４を除く領域に設けられているので、上層フィルム２の表面側から被貼付体側へと押さえつけた際の押圧力が、貼着層７に十分に作用しうる。特に、貼着層７が、収納物１０の裏面に対応する領域に設けられている場合には、該押圧力が、貼着層７の全体に亘って作用しうる。
従って、貼着層７の縁部に於いて不十分な接着を生じず、該貼着層７を介して、収納ラベル１を確実に貼着できる。
また、貼着層７が、収納物１０の裏面に対応する領域に設けられている場合には、貼着層７の露出面（下層フィルム３の積層面と反対面）を加熱した際、収納物１０の介在によって、その熱が上層フィルム２の感熱性接着剤に作用し難い。このため、収納ラベル１を被貼付体に貼着する際に、上層フィルム２が収納物１０に付着することを防止できる。
【００２９】
なお、接着層８として感熱性接着剤が用いられる場合であって、貼着層７を構成する感熱性接着剤が、該接着層８を構成する感熱性接着剤よりも活性化温度が低い接着剤の場合には、上記貼着層７の加熱温度は、貼着層７の感熱性接着剤が活性化しうる温度であって、接着層８の感熱性接着剤の活性化温度未満が好ましい。
この場合、貼着層７を加熱した際の熱が、下層フィルム３を通じて接着層８に伝達しても、接着層８の感熱性接着剤は、貼着層７の活性化温度に於いては活性化しないので、収納ラベル１を貼着する際、収納物１０の縁部が接着層８に部分的に接着する虞がない。
従って、商品等の被貼付体に貼着された収納ラベル１を開封することにより、収納物１０を不自由なく取り出すことができる。
【００３０】
＜収納ラベルの他の実施形態＞
次に、本発明の収納ラベルの他の実施形態を示す。以下、主として上記実施形態と異なる構成及び作用効果について説明し、同様の構成などについては、その説明を省略し、用語及び符号を援用することがある。
【００３１】
上記実施形態では、接着層８は、上層フィルム２の裏面に設けられているが、これに代えて、接着層８が、下層フィルム３の表面に設けられていてもよい。接着層８は、上下層フィルム２，３の層間であって、少なくとも周縁接着部４の形成予定領域に設けられていればよい。
さらに、上記実施形態では、下層フィルム３に設けられた貼着層７は、その形成領域に感熱性接着剤をベタ状に塗工することによって設けられているが、例えば、貼着層７の形成領域に感熱性接着剤を、網目状、無数の点状などに塗工することによって、貼着層７が下層フィルム３に設けられていてもよい。また、接着層８についても同様に、感熱性接着剤をベタ状に塗工する形成方法に限られず、網目状、無数の点状などに塗工する形成方法でもよい。
【００３２】
また、上記実施形態では、上下層フィルム２，３の周縁接着部４は、上下層フィルム２，３の周縁部全体（空気抜きための僅かな部分を除く）を接着することによって形成されているが、例えば、周縁接着部４が、上下層フィルム２，３の周縁部の一部に形成されているものでもよい。収納部５から収納物１０が不用意に抜け出ないように、上下層フィルム２，３の周縁部が接着されていればよいので、周縁接着部４は、このように上下層フィルム２，３の周縁部の一部分の接着にて形成することもできる。
さらに、上記実施形態では、収納ラベル１は、平面視略長方形に形成されているが、収納ラベル１は、この形状に限定されるものではなく、平面視略正方形状、平面視略円形状、略三角形状などに形成してもよい。
【図面の簡単な説明】
【００３３】
【図１】収納ラベルの一実施形態を示す平面図。但し、網掛けは、周縁接着部が設けられた範囲を示す（図２も同じ）。
【図２】同背面図。但し、薄墨塗りは、貼着層が設けられた範囲を示す。
【図３】（ａ）は、図２のI−I線断面図、（ｂ）は、図２のII−II線断面図。
【図４】（ａ）は、収納ラベルの変形例を示す背面図、（ｂ）は、同III−III線断面図。
【図５】収納ラベルの製造方法の一実施形態を示す一部省略参考断面図。
【符号の説明】
【００３４】
１…収納ラベル、２…上層フィルム、３…下層フィルム、４…周縁接着部、５…収納部、６…本体、７…貼着層、８…接着層、１０…収納物
【図１】
2008197262.tif 000003
【図２】
2008197262.tif 000004
【図３】
2008197262.tif 000005
【図４】
2008197262.tif 000006
【図５】
2008197262.tif 000007